(57)【要約】【課題】確実に固定される作業机の天板の高さ並びに傾斜の調節構造を提供する。【解決手段】本調節構造は下方に傾斜角度の調節装置がある。結合ユニットは天板の下方に固定されていて、この結合ユニットには数本の縦向きのスライド槽があり、スライド槽の間には一列になった数個の調節固定穴がある。円盤は結合ユニットの下方に設置されて結合し、その表面はアーチ型の面になっていて、そのアーチ型の面は結合ユニットのスライド槽にあるスライド突起リブに対応する。結合ユニットの一列になった調節固定穴の同方向の位置には固定柱があり、天板が結合ユニットに結合する時、スライド突起リブがスライド槽の中に結合して、固定柱が天板に結合する結合ユニットの調節角度の位置によって、異なる位置の調節固定穴を選択して固定するようになっている。【選択図】  図２
0003123722.tif 000002
【実用新案登録請求の範囲】
【請求項１】
天板、結合ユニット、円盤、土台からなり、その結合ユニット及び円盤が傾斜角度調節装置を構成していて、天板の下方に設置されていて、
結合ユニットは、天板の下方に固定されていて、その結合ユニットには何本かの縦向きのスライド槽があり、スライド槽の間には一列になった数個の調節固定穴があって、結合ユニット後方には平面接続面があり、
円盤は結合ユニットの下方に設置されて結合し、その表面はアーチ型の面になっていて、そのアーチ型の面は結合ユニットのスライド槽にあるスライド突起リブに対応し、結合ユニットの一列になった調節固定穴の同方向の位置には固定柱があって、アーチ型面後方には平面接続面があり、結合ユニットと円盤が結合すると、スライド突起リブがスライド槽の中に納まり、固定柱が天板が結合ユニットに結合する調節角度の位置によって、異なる位置の調節固定穴を選択して固定するようになっているという特長を持つ、作業机の天板の高さ並びに傾斜の調節構造。
【請求項２】
円盤と結合ユニットの間にある固定柱が、第一コントロールスイッチによってコントロールされ、調節固定穴にはまり込んで結合するという特長を持つ、請求項１に記載の作業机の天板の高さ並びに傾斜の調節構造。
【請求項３】
天板、結合ユニット、円盤、土台及び昇降装置からなり、その結合ユニット及び円盤が傾斜角度調節装置を構成していて、天板の下方に設置されていて、
結合ユニットは、天板の下方に固定されていて、その結合ユニットには何本かの縦向きのスライド槽があり、スライド槽の間には一列になった数個の調節固定穴があって、結合ユニット後方には平面接続面があり、
円盤は結合ユニットの下方に設置されて結合し、その表面はアーチ型の面になっていて、そのアーチ型の面は結合ユニットのスライド槽にあるスライド突起リブに対応し、結合ユニットの一列になった調節固定穴の同方向の位置には固定柱があって、アーチ型面後方には平面接続面があり、結合ユニットと円盤が結合すると、スライド突起リブがスライド槽の中に納まり、固定柱が天板が結合ユニットに結合する調節角度の位置によって、異なる位置の調節固定穴を選択して固定するようになっていて、
台座内部には収納はめ込み部分があって、昇降装置を収納するようになっていて、収納はめ込み部分にはスライドする支柱部分があって、このスライドする支柱部分は外側の支柱部分と内側の支柱部分からなり、外側の支柱部分両側の内壁には縦向きの突起レールがあって、内側の支柱部分両側の外壁面にあるスライドレールに結合し、昇降装置が伸縮作動する時、内側の支柱部分を動かして上下に伸縮させるという特長を持つ、作業机の天板の高さ並びに傾斜の調節構造。
【請求項４】
昇降装置の底部に台座の収納はめ込み部分中央にある固定カバーの中に固定され、昇降装置の先端と固定パーツが結合して、この固定パーツが同時に円盤と内側の支柱部分の間に固定されるという特長を持つ、請求項３に記載の作業机の天板の高さ並びに傾斜の調節構造。
【請求項５】
昇降装置が天板下方の第二コントロールスイッチによってコントロールされて昇降動作を行うという特長を持つ、請求項３に記載の作業机の天板の高さ並びに傾斜の調節構造。
【考案の詳細な説明】
【技術分野】
【０００１】
本考案は作業机の天板の高さ並びに傾斜の調節構造に関する。本考案の作業机の天板の高さ並びに傾斜の調節構造は、天板の傾斜角度及びその高さを簡単に調節することができる機能を持つ。
【背景技術】
【０００２】
従来の傾斜調整ができる作業机は、その天板の下方の両側に、テーブル面の傾斜角度が調整できる調節クランクが設置されている。しかしながら、このタイプの簡易角度調節機能のある作業机の構造は複雑で、作業机両側の空間を占める上、調節クランクが外側に露出していて、安全面でも問題がある。
【考案の開示】
【考案が解決しようとする課題】
【０００３】
本考案は、上記従来の問題点を解決することを課題とする。
【課題を解決するための手段】
【０００４】
本考案の作業机の天板の高さ並びに傾斜の調節構造は、下方に傾斜角度の調節装置がある。結合ユニットは、天板の下方に固定されていて、この結合ユニットには数本の縦向きのスライド槽があり、スライド槽の間には一列になった数個の調節固定穴がある。円盤は結合ユニットの下方に設置されて結合し、その表面はアーチ型の面になっていて、そのアーチ型の面は結合ユニットのスライド槽にあるスライド突起リブに対応する。結合ユニットの一列になった調節固定穴の同方向の位置には固定柱があり、天板が結合ユニットに結合する時、スライド突起リブがスライド槽の中に結合して、固定柱が天板が結合する結合ユニットの調節角度の位置によって、異なる位置の調節固定穴を選択して固定するようになっている。複数段階による傾斜角度調節機能を持つ天板の構造により、天板下方に固定される結合ユニット及び円盤はアーチ型の面と結合するため、天板がその円盤のアーチ型の面に沿って前傾斜角度を調節し、必要な角度に確実に調節した後、固定柱が調節固定穴の中に結合することで、確実に固定されるという特長を持つ。
【考案の効果】
【０００５】
本考案の作業机の天板の高さ並びに傾斜の調節構造は、複数の段階で傾斜角度を調節する天板の構造で、天板の下方に固定された結合ユニットと円盤アーチ型の球状に結合することで、天板が円盤のアーチ型の面に沿って、前傾斜角度を調節することができ、必要な角度に確実に調節した後、固定柱が調節固定穴の中に結合することで、確実に固定される。そして、結合ユニット及び円盤の間に形成されたアーチ型の面に沿って結合することにより、そのアーチ型の面における結合による圧力を利用して、無段階式の傾斜角度調節が可能である。この無段階式の調節機能により、随時必要に応じて調節することが可能である。固定する場合は、固定柱によって調節固定穴の中に確実に結合して固定させることができる。このように、段階式あるいは無段階式のいずれにおいても、傾斜角度の調節ができるという特色を持つ。
本考案の作業机の天板の高さ並びに傾斜の調節構造は、一本の柱による土台で机の重量を支えるという構造である。一本の柱状の土台に受ける力が集中することと、力の節約により、簡単に天板を昇降させることができる構造となっている。土台に内蔵された昇降装置は、その上下に調節する時、コントロールスイッチによるコントロールだけで行うようになっているため、力も時間も省けて極めて便利であるという特長を持つ。
【考案を実施するための最良の形態】
【０００６】
図１から図３を参照いただきたい。。本考案の作業机の天板の高さ並びに傾斜の調節構造は、天板１、結合ユニット２、円盤３、土台４、昇降装置５からなる。そのうち、結合ユニット２及び円盤３が本考案の傾斜角度調節装置を構成する。
【０００７】
上述の天板１は、一定の長さを持ち、作業面内側の両端の隅にいくつかのペン立て１１があって、筆記用具や小物を入れることができるので、天板１の傾斜によって物が落下するのを防ぐ。
【０００８】
結合ユニット２は、天板１の下方に固定されていて、結合ユニット２には何本かのスライド槽２１があり、スライド槽２１の間には一列になった数個の調節固定穴２２がある。
【０００９】
円盤３は結合ユニット２の下方に設置されて結合し、その表面はアーチ型の面３１になっていて、そのアーチ型の面３１は結合ユニット２のスライド槽２１にあるスライド突起リブ３２に対応する。結合ユニット２の一列になった調節固定穴２２の同方向の位置には固定柱３５がある。アーチ型面３１後方には平面接続面３３が、そして、アーチ型面３１を貫通する数個の貫通穴３４がある。結合ユニット２と円盤３が結合すると、スライド突起リブ３２がスライド槽２１の中に納まり、結合後、スライド突起リブ３２上方の固定パーツ３６があることにより、スライド突起リブ３２をスライド槽２１の中に固定して結合させる。固定柱３５は天板１が結合ユニット２に結合する調節角度の位置によって、異なる位置の調節固定穴２２を選択して固定するようになっている。
【００１０】
図３、図５、図７を参照いただきたい。天板１を支えるための土台４は、円盤３の下方に設置されている。この土台４は机の重量を支えるに十分である。土台の中央には収納はめ込み部分４３があって、この収納はめ込み部分４３の中央には固定カバー４３１がある。この固定カバー４３１は昇降５を収納する。昇降装置５は、液圧、気圧、自動式昇降構造、あるいは、その他の昇降装置でも可能である。
【００１１】
収納はめ込み装置４３は、スライドする支柱部分４１があって、このスライドする支柱部分４１は、外側の支柱部分４１１及び内側の支柱部分４１３からなる。そのうち、外側の支柱部分４１１の内壁面には、縦向きに突起レール４１２があって、内側の支柱部分４１３両側外壁面にあるスライドレール４１４に対応するようになっている。昇降装置５の先端が固定パーツ３６によって結合され、さらに、固定パーツ３６が同時に円盤３と内側の支柱部分４１３の間に固定されることにより、昇降装置５が伸縮する時、内側の支柱部分４１３も動かして上下に伸縮するようになっている。
【００１２】
天板１の角度調節に関しては、図２から図４、図６及び図８を参照いただきたい。天板１の傾斜を調節する時は、天板１下方にある第一コントロールスイッチ６が固定柱３５を連動させて下に下げ、円盤３の内側に納めることにより、結合ユニット２及び貫通穴３４は固定柱３５の制限を受けず、天板１を結合ユニット２のアーチ型面３１の上に移動させる。移動の際、結合ユニット２に設置されたスライド槽２１はスライド突起リブ３２に沿って移動する。天板１の前傾斜角度が最大になった時、スライド槽２１後方の止まり２１１の制限を受ける。天板１角度の位置は、固定柱３５調節固定穴２２の結合によって決まり、傾斜角度をコントロールする役目を果たす。
【００１３】
天板１の高度昇降構造は、図４から図７を参照いただきたい。土台４は一本の柱になっていて、机の重量を支えるため、受ける力はこの土台４に集中するようになっている。土台４内部に内蔵されている昇降装置５は、天板１下方の第二コントロールスイッチ７によってコントロールされる。第一コントロールスイッチ６及び第二コントロールスイッチ７はいずれも天板１の下方に設置されているため、操作がしやすい。昇降装置５をコントロールして天板１の高度を調節する時、昇降装置５の上昇により、同時に円盤３、結合ユニット２及び天板１を一度に動かす。そして、昇降装置５が内側の支柱部分４１３に固定されていることで、外側の支柱部分４１１に設置された突起レール４１２に沿ってスライドする。
また、天板１後方にある本立て８は、書籍などを置くのに便利なように設置されている。
【図面の簡単な説明】
【００１４】
【図１】本考案の立体外観図である。
【図２】本考案の結合ユニットと円盤を分解した状態を示した立体図である。
【図３】結合ユニットと円盤を結合させた状態を示した立体図である。
【図４】天板を適切な角度に調節する様子を示した図である。
【図５】本考案の円盤と昇降装置を分解した状態を示した立体図である。
【図６】本考案の天板の底部に結合ユニット及び円盤を設置した構造を示した立体図である。
【図７】図３に示したA−A断面を矢印の方向に見た断面図である。
【図８】図３に示したB−B断面を矢印の方向に見た断面図である。
【符号の説明】
【００１５】
１          天板
１１        ペン立て
２          結合ユニット
２１        スライド槽
２１１      止まり
２２        調節固定穴
２３        平面接続面
３          円盤
３１        アーチ型面
３３        平面接続部分
３４        貫通穴
３５        固定柱
３６        固定パーツ
４          土台
４１        スライドする支柱部分
４１１      外側の支柱部分
４１２      突起レール
４１３      内側の支柱部分
４１４      スライドレール
４２        固定板
４３        収納はめ込み部分
４３１      固定カバー
５          昇降装置
６          第一コントロールスイッチ
７          第一コントロールスイッチ
８          本立て
【図１】
0003123722.tif 000003
【図２】
0003123722.tif 000004
【図３】
0003123722.tif 000005
【図４】
0003123722.tif 000006
【図５】
0003123722.tif 000007
【図６】
0003123722.tif 000008
【図７】
0003123722.tif 000009
【図８】
0003123722.tif 000010